【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せに応じて入賞が発生可能なスロットマシンにおいて、
複数の前記可変表示部に表示結果を導出させる際に操作されるそれぞれの導出操作手段と、
前記可変表示部に表示結果が導出される前に入賞の発生を許容するか否かを決定する事前決定手段と、
前記導出操作手段が操作されたときに、該導出操作手段の操作に対応する前記可変表示部に表示結果を導出させる制御を行う導出制御手段とを備え、
前記導出制御手段は、
前記事前決定手段の決定結果が所定結果であるときに識別情報が変動表示されている複数の前記可変表示部のうち該所定結果に応じた前記可変表示部に対応する前記導出操作手段が操作される所定操作手順によって前記導出操作手段が操作され、その後に残りの前記可変表示部に対応する前記導出操作手段が操作されて全ての前記可変表示部に表示結果が導出されたときには所定表示結果の組合せを導出し、
前記事前決定手段の決定結果が前記所定結果であるときに前記導出操作手段が前記所定操作手順と異なる特定操作手順によって操作され、その後に残りの前記可変表示部に対応する前記導出操作手段が操作されて全ての前記可変表示部に表示結果が導出されたときには前記所定表示結果の組合せを導出せず、
前記事前決定手段の決定結果が前記所定結果と異なる特定結果であるときに識別情報が変動表示されている複数の前記可変表示部のうち該特定結果に応じた前記可変表示部に対応する前記導出操作手段が操作される前記特定操作手順によって前記導出操作手段が操作され、その後に残りの前記可変表示部に対応する前記導出操作手段が操作されて全ての前記可変表示部に表示結果が導出されたときには特定表示結果の組合せを導出し、
前記事前決定手段の決定結果が前記特定結果であるときに前記導出操作手段が前記所定操作手順によって操作され、その後に残りの前記可変表示部に対応する前記導出操作手段が操作されて全ての前記可変表示部に表示結果が導出されたときには前記特定表示結果の組合せを導出せず、
前記事前決定手段の決定結果が前記所定結果または前記特定結果のいずれであるときにおいても前記導出操作手段が前記所定操作手順によって操作されたときには、該操作に対応する前記可変表示部に共通の表示結果を導出する
ことを特徴とするスロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を複数備え、可変表示部を変動表示した後、可変表示部の変動表示を停止することで表示結果を導出し、複数の可変表示部の表示結果の組合せに応じて入賞が発生可能なスロットマシンに関する。
【手続補正３】
【補正対象書類名】明細書
【補正対象項目名】０００８
【補正方法】変更
【補正の内容】
【０００８】
上記課題を解決するために、本発明のスロットマシンは、
各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せに応じて入賞が発生可能なスロットマシンにおいて、
複数の前記可変表示部に表示結果を導出させる際に操作されるそれぞれの導出操作手段（たとえば、ストップスイッチ８Ｌ、８Ｃ、８Ｒ）と、
前記可変表示部に表示結果が導出される前に入賞の発生を許容するか否かを決定する事前決定手段（たとえば、図８のＳｄ２の処理を実行する部分）と、
前記導出操作手段が操作されたときに、該導出操作手段の操作に対応する前記可変表示部に表示結果を導出させる制御を行う導出制御手段（たとえば、図８のＳｄ３の処理を実行する部分）とを備え、
前記導出制御手段は、
前記事前決定手段の決定結果が所定結果（たとえば、左ベル１〜４のいずれかに当選）であるときに識別情報が変動表示されている複数の前記可変表示部のうち該所定結果に応じた前記可変表示部に対応する前記導出操作手段が操作される所定操作手順（たとえば、左第１停止）によって前記導出操作手段が操作され、その後に残りの前記可変表示部に対応する前記導出操作手段が操作されて全ての前記可変表示部に表示結果が導出されたときには所定表示結果の組合せを導出し（たとえば、図１７に示すベル２の入賞）、
前記事前決定手段の決定結果が前記所定結果であるときに前記導出操作手段が前記所定操作手順と異なる特定操作手順（たとえば、中第１停止または右第１停止）によって操作され、その後に残りの前記可変表示部に対応する前記導出操作手段が操作されて全ての前記可変表示部に表示結果が導出されたときには前記所定表示結果の組合せを導出せず（たとえば、図１７に示すベル２以外を引き込む）、
前記事前決定手段の決定結果が前記所定結果と異なる特定結果（たとえば、中ベル１〜４のいずれかまたは右ベル１〜４のいずれかに当選）であるときに識別情報が変動表示されている複数の前記可変表示部のうち該特定結果に応じた前記可変表示部に対応する前記導出操作手段が操作される前記特定操作手順によって前記導出操作手段が操作され、その後に残りの前記可変表示部に対応する前記導出操作手段が操作されて全ての前記可変表示部に表示結果が導出されたときには特定表示結果の組合せを導出し（たとえば、図１７に示すベル２の入賞）、
前記事前決定手段の決定結果が前記特定結果であるときに前記導出操作手段が前記所定操作手順によって操作され、その後に残りの前記可変表示部に対応する前記導出操作手段が操作されて全ての前記可変表示部に表示結果が導出されたときには前記特定表示結果の組合せを導出せず（たとえば、図１７に示すベル２以外を引き込む）、
前記事前決定手段の決定結果が前記所定結果または前記特定結果のいずれであるときにおいても前記導出操作手段が前記所定操作手順によって操作されたときには、該操作に対応する前記可変表示部に共通の表示結果（たとえば、上段にベル、中段にリプ）を導出する（たとえば、図９のＳｅ１２でベルに当選したと判定されたときにＳｅ１３の処理を行う部分）ことを特徴とする。
そのような構成によれば、ゲームへの興趣を向上させることができる。
なお、「所定数の賭数」とは、少なくとも１以上の賭数であって、２以上の賭数が設定されることや最大賭数が設定されることでゲームが開始可能となるようにしてもよい。また、遊技状態に応じて定められた賭数が設定されることでゲームが開始可能となるようにしてもよい。
【手続補正４】
【補正対象書類名】明細書
【補正対象項目名】００１２
【補正方法】変更
【補正の内容】
【００１２】
また、前記導出操作手段が所定操作手順によって操作されて所定結果（たとえば、左ベル１〜４のいずれかに当選）に応じた可変表示部の識別情報が導出された時点では、事前決定手段の決定結果が前記所定結果または特定結果（たとえば、中ベル１〜４のいずれかまたは右ベル１〜４のいずれかに当選）のいずれであるときにおいても、共通の演出を実行する演出実行手段を備えたことを特徴とする（たとえば、図２４のＳｊ６の処理を行う部分）。
そのような構成によれば、演出から特定所定結果またはそれ以外の所定結果のいずれに決定されたかを判別できないようにすることができる。